(57)【要約】【課題】  データスライサの時定数が変化すると、データスライサの出力信号のデューティが乱れ、ビット同期回路で検出されるビット同期に異常が生じる。【解決手段】  信号幅取得部１２は、入力信号１００の信号レベルが一定である期間の長さを信号幅として取得し、信号幅履歴管理部１３は、信号幅の履歴を管理する。判定部１５は、取得した信号幅および信号幅の履歴に基づき、補正を行うか否かを判断する。判定部１５は、補正を行うと判断したときには、補正量管理部２４から出力された補正量２０４の時間だけ、補正命令１０５を出力する。補正実行部１６は、補正命令１０５が出力されている間は、遅延部１１から出力される遅延入力信号１０１を補正する。このように信号幅の履歴に基づき補正を行うか否かを判断することにより、補正を高速に正しく行うことができる。【選択図】  図１
2005176225.tif 000002
【特許請求の範囲】
【請求項１】
矩形状に変化する信号の変化タイミングを変更する信号補正装置であって、
入力信号を遅延させて、遅延入力信号を求める遅延部と、
前記入力信号の信号レベルが一定である期間の長さを信号幅として取得する信号幅取得部と、
前記信号幅取得部で取得した信号幅の履歴を管理する信号幅履歴管理部と、
前記信号幅取得部で取得した信号幅および前記信号幅履歴管理部で管理される信号幅の履歴に基づき、補正を行うか否かを判定する判定部と、
補正を行う時間の長さを補正量として管理する補正量管理部と、
前記判定部における判定結果に従い、前記補正量管理部で管理される補正量の分だけ、前記遅延入力信号を補正する補正実行部とを備えた、信号補正装置。
【請求項２】
前記判定部は、前記信号幅取得部で取得した信号幅について、信号幅が第１のしきい値以下であるときは第１の方法で、信号幅が第２のしきい値以上で、かつ、次の信号幅が前記第１のしきい値より大きいときは第２の方法で補正を行うと判定し、
前記補正量管理部は、前記補正量として第１および第２の補正量を管理し、
前記補正実行部は、前記第１の方法で補正を行うときには前記第１の補正量の分だけ、前記第２の方法で補正を行うときには前記第２の補正量の分だけ、前記遅延入力信号を補正することを特徴とする、請求項１に記載の信号補正装置。
【請求項３】
前記補正実行部は、前記第１の方法で補正を行うときには、信号幅が前記第１の補正量の分だけ時間的に前後に伸びるように、前記第２の方法で補正を行うときには、信号幅が前記第２の補正量の分だけ時間的に後に伸びるように、前記遅延入力信号を補正することを特徴とする、請求項２に記載の信号補正装置。
【請求項４】
前記補正実行部で補正された信号の符号誤り率を求める誤り率測定部をさらに備え、
前記補正量管理部は、前記誤り率測定部で求めた符号誤り率に基づき、前記補正量を変化させることを特徴とする、請求項１に記載の信号補正装置。
【請求項５】
前記判定部において補正を行わないと判定する状態が所定の時間だけ継続したときに、前記補正実行部に強制終了信号を出力する強制終了判定部をさらに備え、
前記補正実行部は、前記強制終了信号が出力されたときに、前記遅延入力信号に対する補正を停止することを特徴とする、請求項１に記載の信号補正装置。
【発明の詳細な説明】
【技術分野】
【０００１】
本発明は、信号補正装置に関し、より特定的には、データスライサなどから出力された、矩形状に変化する信号の変化タイミングを変更する信号補正装置に関する。
【背景技術】
【０００２】
デジタル無線通信システムで使用される受信器は、変調されたアナログ信号に基づき、送信されたデジタルデータを再生するために、復調器を備えている。図６は、従来のＦＳＫ（Frequency Shift Keying）復調器の構成を示すブロック図である。このＦＳＫ復調器は、受信フロントエンド部１、ＩＦ（Intermediate Frequency）フィルタ２、ＦＭ復調器３、ベースバンドフィルタ４、データスライサ５、およびビット同期回路６を備えている。
【０００３】
図６に示すＦＳＫ復調器には、アンテナ（図示せず）などで受信したＲＦ（Radio Frequency ）信号が入力される。入力されたＲＦ信号は、まず、受信フロントエンド部１でＩＦ信号（中間周波信号）に変換される。このＩＦ信号は、ＩＦフィルタ２でフィルタリングされ、さらにＦＭ復調器３でアナログベースバンド信号に変換される。このアナログベースバンド信号は、ベースバンドフィルタ４で帯域制限を受けた後、データスライサ５で矩形状に変化する２値の信号に変換される。ビット同期回路６は、データスライサ５の出力信号からビット同期を検出し、検出したビット同期を用いて、送信器から送信された元のデジタルデータを再生する。
【０００４】
データスライサ５は、ＦＭ復調されたアナログベースバンド信号を、ハイレベルおよびローレベルの２種類の値を取る信号（２値の信号）に変換する。より詳細には、データスライサ５は、スライシングレベルと呼ばれるしきい値を有しており、ベースバンドフィルタ４の出力信号とスライシングレベルとの比較結果に応じて、データスライサ５の出力信号をハイレベルまたはローレベルに切り替える。
【０００５】
データスライサ５の構成を簡単にするためには、スライシングレベルをある値に固定することが好ましい。しかし、ＦＭ復調器３の出力端におけるＤＣレベルは、不特定の送信器からの送信信号を受信するために生じる周波数のずれや、ドリフトによる変動などの影響を受ける。このため、実用的な復調器では、スライシングレベルをある値に固定することはできない。したがって、データスライサ５は、受信信号の状態に応じてスライシングレベルを最適な値に変更する必要がある。
【０００６】
図７は、データスライサ５の詳細な構成の一例を示す回路図である。このデータスライサは、一般的に使用されるＲＣ積分方式の適用型データスライサであり、コンパレータ７、抵抗８、およびコンデンサ９を含んでいる。抵抗８とコンデンサ９とは、ＲＣ積分回路を構成する。入力端子ＩＮには、ベースバンドフィルタ４から出力されたアナログベースバンド信号が入力される。ＲＣ積分回路は、入力端子ＩＮから入力されたアナログベースバンド信号の平均ＤＣ電圧を求める。求めた平均ＤＣ電圧は、コンパレータ７におけるスライシングレベルとして使用される。コンパレータ７は、ベースバンドフィルタ４から出力されたアナログベースバンド信号とスライシングレベルとを比較し、前者のほうが大きいときには値「１」を、後者のほうが大きいときには値「０」を出力する。
【０００７】
図６に示す復調器において、出力信号のビット誤り率（Bit Error Rate：以下、ＢＥＲという）を良好に保つためには、データスライサ５は、できる限り正確に、送信された元のデータと一致するように、アナログ信号を２値の信号に変換する必要がある。例えば、データスライサ５の出力信号のデューティが乱れると、ビット同期回路６で検出されるビット同期に異常が生じ、出力信号のＢＥＲが劣化する。したがって、スライシングレベルがアナログベースバンド信号の平均ＤＣ電圧から乖離しないようにするために、データスライサ５に含まれるＲＣ積分回路の時定数を重く（大きく）する必要がある。
【０００８】
しかし一方では、例えばBluetooth （Ｒ）のように、タイムスロットが短いパケットを送受信する無線通信システムでは、ＲＣ積分回路の時定数を十分に重くすることはできない。なぜならば、データスライサ５におけるスライシングレベルは、プリアンブルなどの受信中に調整されるが、タイムスロットが短いパケットを送受信する無線通信システムでは、プリアンブル自体が短く、スライシングレベルを短時間で調整する必要があるからである。このため、データスライサ５に含まれるＲＣ積分回路の時定数を軽く（小さく）せざるを得ない。ところが、ＲＣ積分回路の時定数を軽くすると、上述したように、データスライサ５の出力信号のデューティが乱れ、ビット同期回路６で検出されるビット同期に異常が生じ、復調器の出力信号のＢＥＲが劣化してしまう。
【０００９】
図８は、データスライサ５に含まれるＲＣ積分回路の時定数を軽くした場合に、データスライサ５の出力信号のデューティが乱れる様子を示す図である。ＲＣ積分回路の時定数が十分に重い場合には、ＲＣ積分回路は、スライシングレベルとして入力信号の平均ＤＣ電圧（図８では、理想的なスライシングレベル）を正確かつ安定的に求め、データスライサ５の出力信号は、正確なデューティを有する信号（図８では、理想的な出力信号）となる。これに対して、ＲＣ積分回路の時定数が軽い場合には、ＲＣ積分回路におけるスライシングレベルは図８に示すように変動し（図８では、レベル変動時のスライシングレベル）、このため、データスライサ５の出力信号のデューティが乱れる（図８では、レベル変動時の出力信号）。
【００１０】
図９は、ビット同期回路６におけるサンプリングタイミングを示す図である。図９において、時間Ｃは、理想的な入力信号の信号レベルが変化する時間間隔の最小値（以下、単位時間という）を表し、上向き矢印は、ビット同期回路６におけるサンプリングタイミングを表す。図９（ａ）に示すように、デューティが乱れてない信号が入力された場合、ビット同期回路６は、入力信号を等間隔でサンプリングし、正常なデータを出力する。これに対して、図９（ｂ）および（ｃ）に示すように、デューティが乱れた信号が入力された場合、信号幅（信号レベルが一定である期間の長さ）が１単位時間より短くなることがある。
【００１１】
一般に、データスライサ５の出力信号の信号幅を単位時間の整数倍に揃えることは困難である。このため、ビット同期回路６は、１単位時間ごとに設定された固定化されたタイミングでサンプリングを行う（図９（ｂ）を参照）ことに代えて、ある程度の信号幅の乱れに対応可能な方法でサンプリングを行う。例えば、図９（ｃ）に示す例では、ビット同期回路６は、入力信号の変化タイミングよりも所定の時間αだけ後のタイミングでサンプリングを行う。また、１単位時間が経過しても入力信号の信号レベルが変化しない場合には、ビット同期回路６は、直前にサンプリングを行ったタイミングから１単位時間を経過したタイミングでサンプリングを行う。
【００１２】
ビット同期回路６が上記の方法で正しくサンプリングを行えるのは、サンプリングされるべき信号レベルが、１単位時間の約５０％以上に亘って入力される場合に限られる。例えば、上記の方法は、サンプリングされるべき信号レベルが、１単位時間の２０％程度しか入力されておらず、残りの８０％の期間内にサンプリングを行うとデータに誤りが生じる状況には、対応することができない。
【００１３】
このように、１単位時間のうち短い時間しかサンプリングされるべきレベルの信号が入力されていない場合には、誤ったレベルの信号が入力されているときにサンプリングを行ったり（図９（ｂ）の時刻Ｔａ）、入力信号が不安定なときにサンプリングを行ったり（図９（ｂ）の時刻Ｔｂ）、１単位時間の間に複数回のサンプリングを行ったり（図９（ｃ）の時刻Ｔｃおよび時刻Ｔｄ）する不具合が発生する。
【００１４】
上記問題を解決するために、従来から、ＲＣ積分回路の時定数を動的に切り替えることにより、スライシングレベルをある状況下では急速に変化させ、他の状況下では安定化させる方法が知られている（例えば、特許文献１）。
【特許文献１】特開平９−２３２４７号公報
【発明の開示】
【発明が解決しようとする課題】
【００１５】
しかしながら、特許文献１に記載された方法では、時定数を決定する要素である抵抗およびキャパシタの特性が、製造プロセスや温度などの要因によって変動するので、データスライサの出力信号の信号幅の変動を十分に抑制できないことがある。また、どのようなタイミングでどのようなパターンで変化する信号を受信するのかがわからない場合には、時定数を制御するための信号を生成することが困難である。このため、時定数の切り替えとは異なる方法で、データスライサの出力信号の信頼性を向上させる技術が必要である。
【００１６】
それ故に、本発明は、タイムスロットが短いパケットを送受信する無線通信システムに含まれるデータスライサなどから出力された、矩形状に変化する信号の変化タイミングを高速に正しく補正する信号補正装置を提供することを目的とする。
【課題を解決するための手段】
【００１７】
本発明の信号補正装置は、入力信号を遅延させる遅延部と、入力信号の信号幅を取得する信号幅取得部と、信号幅の履歴を管理する信号幅履歴管理部と、取得した信号幅および信号幅の履歴に基づき、補正を行うか否かを判定する判定部と、補正を行う時間の長さを補正量として管理する補正量管理部と、判定部における判定結果に従い、補正量管理部で管理される補正量の分だけ、遅延させた入力信号を補正する補正実行部とを備える。
【００１８】
この場合、判定部は、信号幅が第１のしきい値以下であるときは第１の方法で、信号幅が第２のしきい値以上で、かつ、次の信号幅が第１のしきい値より大きいときは第２の方法で補正を行うと判定し、補正量管理部は、第１および第２の補正量を管理し、補正実行部は、第１の方法で補正を行うときには第１の補正量を、第２の方法で補正を行うときには第２の補正量を用いてもよい。また、補正実行部は、第１の方法で補正を行うときには、信号幅を時間的に前後に伸ばし、第２の方法で補正を行うときには、信号幅を時間的に後に伸ばしてもよい。
【００１９】
あるいは、信号補正装置は、補正された信号の符号誤り率を求める誤り率測定部をさらに備え、補正量管理部は、符号誤り率に基づき補正量を変化させてもよい。
【００２０】
あるいは、信号補正装置は、補正を行わないと判定する状態が所定の時間だけ継続したときに、強制終了信号を出力する強制終了判定部をさらに備え、補正実行部は、強制終了信号が出力されたときに、補正を停止してもよい。
【発明の効果】
【００２１】
本発明の信号補正装置によれば、入力信号の信号幅およびその履歴に基づき、補正を行うか否かを判断することにより、前段回路で出力信号を生成するときに参照されるしきい値（例えば、データスライサにおけるスライシングレベル）が変化したために、入力信号のデューティが乱れた場合でも、入力信号を高速に正しく補正することができる。
【００２２】
また、前段回路の特性に依存することなく、入力信号を高速に正しく補正することができる。このように前段回路の特性ばらつきを吸収することにより、前段回路のサンプル試作回数を減らし、開発期間を短縮することができる。
【００２３】
上記誤り率測定部を備えることとすれば、通信状態に応じて、入力信号の補正量および補正判定で使用するしきい値を好適な値に設定し、様々の状況下で入力信号に対して最適な補正を行うことができる。
【００２４】
上記強制判定終了部を備えることとすれば、遅延入力信号に対する補正を行う必要がない間は補正実行部を停止させることにより、装置の消費電力を削減することができる。
【発明を実施するための最良の形態】
【００２５】
以下、図面を参照して、本発明の第１〜第３の実施形態に係る信号補正装置を説明する。各実施形態に係る信号補正装置は、入力信号の１単位時間（理想的な入力信号の信号レベルが変化する時間間隔の最小値）よりも短い時間を１サイクルとして動作する。以下では、例えば、入力信号の１単位時間は１マイクロ秒であり、信号補正装置は１３分の１マイクロ秒を１単位時間として（すなわち、１３ＭＨｚで）動作するものとする。
【００２６】
（第１の実施形態）
図１は、本発明の第１の実施形態に係る信号補正装置の構成を示すブロック図である。図１に示す信号補正装置１０は、遅延部１１、信号幅取得部１２、信号幅履歴管理部１３、補正量管理部１４、判定部１５、および補正実行部１６を備えている。信号補正装置１０は、例えば、デジタル無線通信システムの受信器に含まれる復調器において、前段にデータスライサ５を、後段にビット同期回路６を設けた状態で使用される。
【００２７】
信号補正装置１０の前段に設けられたデータスライサ５は、入力されたアナログ信号（図示せず）と内部で求めたスライシングレベルとを比較し、前者のほうが大きいときには値「１」を、後者のほうが大きいときには値「０」を出力する。データスライサ５の出力信号が、信号補正装置１０の入力信号１００となる。
【００２８】
遅延部１１は、入力信号１００を所定の時間Ｄだけ遅延させて、遅延入力信号１０１を出力する。このため、遅延部１１は、入力信号１００を時系列順に蓄積し、蓄積した信号を時系列順に出力する。なお、遅延部１１における遅延時間Ｄは、後述する信号幅の取得、信号幅の履歴の更新、および補正要否の判定を行った後でも、遅延入力信号１０１を正しく補正できる値に決定される。
【００２９】
信号幅取得部１２は、入力信号１００の信号幅（信号レベルが一定である期間の長さ）１０２を取得する。より詳細には、信号幅取得部１２は、遅延部１１に蓄積された入力信号１００に基づき、入力信号１００が変化したことを検出するたびに、１３分の１マイクロ秒の幅を有するパルス信号を生成し、直前に生成したパルス信号との時間差を１３分の１マイクロ秒単位で表した値を信号幅情報１０２として出力する。なお、信号幅取得部１２は、遅延部１１に蓄積された入力信号１００に代えて、入力信号１００に対して上記処理を行ってもよい。
【００３０】
信号幅履歴管理部１３は、信号幅取得部１２で取得した信号幅の履歴を管理する。より詳細には、信号幅履歴管理部１３は、信号幅取得部１２から順次出力される信号幅情報１０２を、判定部１５における判定で必要とされる数だけ蓄積し、その結果を信号幅履歴情報１０３として出力する。
【００３１】
補正量管理部１４は、補正実行部１６で補正を行う時間の長さを管理する。より詳細には、補正量管理部１４は、予め定めた固定値（あるいは、信号補正装置１０の外部から供給された固定値）を保持し、保持した値を補正量１０４として判定部１５に出力する。
【００３２】
判定部１５は、信号幅取得部１２から出力された信号幅情報１０２、信号幅履歴管理部１３から出力された信号幅履歴情報１０３、および内部に保持したしきい値に基づき、補正を行うか否かを判定する。判定部１５は、補正を行うと判定したときには、補正量管理部１４から出力された補正量１０４の時間に亘って、補正命令１０５を出力する。
【００３３】
補正実行部１６は、補正命令１０５が出力されている間は、遅延入力信号１０１に対して補正を実行し、補正後の信号を出力信号１０６として出力する。なお、上記の構成に代えて、補正実行部１６は、補正量管理部１４から補正量１０４を直接受け取り、補正命令１０５を受け取ったときには、補正量１０４の時間に亘って、遅延入力信号１０１に対して補正を実行することとしてもよい。
【００３４】
補正実行部１６の出力信号１０６は、信号補正装置１０の出力信号となる。信号補正装置１０の後段に接続されたビット同期回路６は、出力信号１０６からビット同期を検出し、検出したビット同期を用いて、送信器（図示せず）から送信された元のデジタルデータを再生する。
【００３５】
以下、信号補正装置１０における補正処理の詳細を説明する。補正量管理部１４は、内部に２種類の補正量ΔＹおよびΔＷを有し、これら２種類の補正量を補正量１０４として判定部１５に出力する。信号幅取得部１２は、信号幅情報１０２として、入力信号１００から最後に取得した信号幅（最新の信号幅）を出力する。信号幅履歴管理部１３は、信号幅履歴情報１０３として、入力信号１００から以前に取得した信号幅（信号幅の履歴）を出力する。
【００３６】
判定部１５は、内部に２種類のしきい値ＬおよびＫを有している。判定部１５は、信号幅情報１０２、信号幅履歴情報１０３、およびこれら２種類のしきい値に基づき、補正を行うか否かを判定する。より詳細には、信号幅がしきい値Ｌ以下である場合には、判定部１５は、信号幅を時間的に前後に伸ばす補正（図２（ａ）を参照。以下、第１の補正という）を行うと判定する。また、信号幅がしきい値Ｋ以上である場合には、判定部１５は、信号幅を時間的に後に伸ばす補正（図２（ｂ）を参照。以下、第２の補正という）を行うと判定する。ただし、信号幅がしきい値Ｋ以上であっても、１つ後の信号幅がしきい値Ｌ以下である場合には、判定部１５は、第２の補正を行わないと判定する（図２（ｃ）を参照）。
【００３７】
判定部１５は、第１の補正を行うと判断したときには、しきい値Ｌ以下の信号幅が遅延部１１から出力されるよりも前と、しきい値Ｌ以下の信号幅が出力された後とに、それぞれΔＹ／２の時間だけ補正命令１０５を出力する。また、判定部１５は、第２の補正を行うと判断した場合には、しきい値Ｋ以上の信号幅が遅延部１１から出力された後に、ΔＷの時間だけ補正命令１０５を出力する。補正実行部１６は、補正命令１０５が出力されている間は、遅延入力信号１０１を異なる信号レベルに（すなわち、ローレベルであればハイレベルに、ハイレベルであればローレベルに）補正する。
【００３８】
これらの補正処理をまとめると、以下のようになる。信号幅がしきい値Ｌ以下であるとき、判定部１５は、第１の方法で補正を行うと判断し、補正実行部１６は、信号幅が第１の補正量ΔＹだけ時間的に前後に伸びるように、遅延入力信号１０１を補正する。また、信号幅が第２のしきい値Ｋ以上で、かつ、次の信号幅が第１のしきい値Ｌより大きいときは、判定部１５は、第２の方法で補正を行うと判定し、補正実行部１６は、信号幅が第２の補正量ΔＷだけ時間的に後に伸びるように、遅延入力信号１０１を補正する。
【００３９】
図２は、信号補正装置１０における補正処理の例を示す図である。なお、図２では、補正後の信号は、破線で描かれている。信号補正装置１０は、矩形状に変化する入力信号１００を、遅延部１１における遅延時間Ｄだけ遅延させた出力信号１０６を出力する。図２（ａ）に示すように、入力信号１００にしきい値Ｌ以下の信号幅Ｗ１が含まれている場合には、出力信号１０６では、この信号幅はΔＹだけ時間的に前後に伸ばされる。具体的には、補正を行わないとした場合の、しきい値Ｌ以下の信号幅の開始時刻をＴ１、終了時刻をＴ２としたとき、実際に補正を行った後の、しきい値Ｌ以下の信号幅の開始時刻は（Ｔ１−ΔＹ／２）、終了時刻は（Ｔ２＋ΔＹ／２）となる。
【００４０】
また、図２（ｂ）に示すように、入力信号１００にしきい値Ｋ以上の信号幅Ｗ２が含まれている場合には、出力信号１０６では、この信号幅はΔＷだけ時間的に後に伸ばされる。具体的には、補正を行わないとした場合の、しきい値Ｋ以上の信号幅の終了時刻をＴ３としたとき、実際に補正を行った後の、しきい値Ｋ以上の信号幅の終了時刻は（Ｔ３＋ΔＷ）となる。
【００４１】
しかし、入力信号１００にしきい値Ｋ以上の信号幅Ｗ３が含まれており、次の信号幅Ｗ４がしきい値Ｌ以下である場合にも、信号補正装置１０が補正を行うとすると、図３に示すように、出力信号１０６では、しきい値Ｌ以下の信号幅が消滅する場合がある。そこで、図２（ｃ）に示すように、入力信号１００にしきい値Ｋ以上の信号幅Ｗ３が含まれていても、次の信号幅Ｗ４がしきい値Ｌ以下である場合には、出力信号１０６では、信号幅Ｗ３は変更されず、信号幅Ｗ４だけが変更される。
【００４２】
以上に示すように、本実施形態に係る信号補正装置によれば、入力信号の信号幅およびその履歴に基づき、補正を行うか否かを判断することにより、前段回路で出力信号を生成するときに参照されるしきい値（例えば、データスライサにおけるスライシングレベル）が変化したために、入力信号のデューティが乱れた場合でも、入力信号を高速に正しく補正することができる。
【００４３】
また、前段回路の特性に依存することなく、入力信号を高速に正しく補正することができる。このように前段回路の特性ばらつきを吸収することにより、前段回路のサンプル試作回数を減らし、開発期間を短縮することができる。
【００４４】
（第２の実施形態）
図４は、本発明の第２の実施形態に係る信号補正装置の構成を示すブロック図である。図４に示す信号補正装置２０は、第１の実施形態に係る信号補正装置１０（図１）に対して、誤り率測定部２７を追加し、補正量管理部１４および判定部１５を、それぞれ、補正量管理部２４および判定部２５に置換したものである。本実施形態の構成要素のうち、第１の実施形態と同一の構成要素については、同一の参照符号を付して、説明を省略する。以下、誤り率測定部２７、補正量管理部２４、および判定部２５の詳細を説明する。
【００４５】
信号補正装置２０に入力される入力信号１００には、既知のデータパターン（以下、調整用パターンという）が、適宜含まれている。誤り率測定部２７は、調整用パターンの正解データを内部に蓄積しており、信号補正装置２０に調整用パターンが入力されたときには、補正実行部１６から出力された出力信号１０６と上記正解データとを比較することにより、出力信号１０６の誤り率を測定する。誤り率測定部２７は、測定した誤り率を誤り率情報２０７として出力する。
【００４６】
補正量管理部２４は、第１の実施形態で説明した補正量管理部１４に、補正量２０４を適宜切り替える機能を追加したものである。補正量管理部２４における補正量ΔＹの最小値および最大値をそれぞれΔＹｍ、ΔＹＭとした場合、補正量管理部２４は、誤り率情報２０７に基づき、最適な補正量ΔＹとしてΔＹｍ以上ΔＹＭ以下の値を出力する。補正量ΔＷについても、これと同様である。
【００４７】
判定部２５は、第１の実施形態で説明した判定部１５に、２種類のしきい値を適宜切り替える機能を追加したものである。判定部２５におけるしきい値Ｌの最小値および最大値をそれぞれＬｍ、ＬＭとした場合、判定部２５は、誤り率情報２０７に基づき、最適なしきい値としてＬｍ以上ＬＭ以下の値を出力する。しきい値Ｋについても、これと同様である。
【００４８】
信号補正装置２０に調整用パターンが入力されている間、誤り率測定部２７では出力信号１０６の誤り率が測定され、補正量管理部２４における補正量、および判定部２５におけるしきい値（補正判定で使用する下限値および上限値）は、誤り率情報２０７に基づき好適な値に調整される。また、信号補正装置２０に調整用パターンが入力されていない間は、補正量管理部２４における補正量、および判定部２５におけるしきい値は、固定される。
【００４９】
以上に示すように本実施形態に係る信号補正装置によれば、通信状態に応じて、入力信号の補正量および補正判定で使用するしきい値を好適な値に設定し、様々の状況下で入力信号に対して最適な補正を行うことができる。
【００５０】
（第３の実施形態）
図５は、本発明の第３の実施形態に係る信号補正装置の構成を示すブロック図である。図５に示す信号補正装置３０は、第１の実施形態に係る信号補正装置１０（図５）に対して、強制終了判定部３８を追加し、補正実行部１６を補正実行部３６に置換したものである。本実施形態の構成要素のうち、第１の実施形態と同一の構成要素については、同一の参照符号を付して、説明を省略する。以下、強制終了判定部３８、および補正実行部３６の詳細を説明する。
【００５１】
強制終了判定部３８は、判定部１５から出力される補正命令１０５を監視し、補正命令１０５が出力されない状態が所定の時間だけ継続したときに、補正実行部３６に強制終了命令３０８を出力する。
【００５２】
補正実行部３６は、第１の実施形態で説明した補正実行部１６に、補正を強制終了する機能を追加したものである。補正実行部３６は、強制終了命令３０８を受け取ると、遅延入力信号１０１に対する補正を直ちに停止する。また、補正実行部３６は、判定部１５から補正命令１０５を受け取ったときに、補正停止状態を解除し、遅延入力信号１０１に対する補正を再開する。
【００５３】
以上に示すように、本実施形態に係る信号補正装置によれば、遅延入力信号１０１に対する補正を行う必要がない間は、補正実行部３６は停止する。これにより、装置の消費電力を削減することができる。
【００５４】
なお、強制終了判定部３８は、補正命令１０５が出力されない状態が所定の時間だけ継続したときに、強制終了命令３０８を出力することに加えて、信号補正装置３０の外部から供給された制御信号に応じて、強制終了命令３０８を出力することとしてもよい。
【００５５】
例えば、Bluetooth （Ｒ）システムでは、アクセスコードが検出された後は、データスライサ５のスライシングレベルを変動させる必要がないので、データスライサ５の時定数を重くする方法が採用される。この方法を採用したシステムでは、アクセスコードが検出された後は、データスライサの出力信号のデューティが大きく乱れることはなく、入力信号を補正する必要がないことが、予め分かっている。したがって、この方法を採用した場合には、アクセスコードを検出した後は、入力信号に対する補正を停止することが好ましい。そこで、強制終了判定部に対してアクセスコード検出終了信号（Bluetooth （Ｒ）システムではパケットコントロール信号と呼ばれる）を入力し、アクセスコード検出終了信号が入力されたときに、入力信号に対する補正を強制終了することにより、回路の消費電力を削減することができる。
【産業上の利用可能性】
【００５６】
本発明に係る信号補正装置は、矩形状に変化する信号を高速に正しく補正できるので、例えば、無線通信システムの受信器に含まれる復調器において、データスライサの出力信号を補正するときなどに使用でき、これ以外にも、コンパレータを用いてアナログデジタル変換を行うことにより得られた２値の信号など、矩形状に変化する信号を補正するときにも広く利用できる。
【図面の簡単な説明】
【００５７】
【図１】本発明の第１の実施形態に係る信号補正装置の構成を示すブロック図
【図２】本発明の第１の実施形態に係る信号補正装置における補正処理の例を示す図
【図３】不適切な補正によって、小さな信号幅が消滅する様子を示す図
【図４】本発明の第２の実施形態に係る信号補正装置の構成を示すブロック図
【図５】本発明の第３の実施形態に係る信号補正装置の構成を示すブロック図
【図６】従来のＦＳＫ復調器の構成を示すブロック図
【図７】従来のデータスライサの詳細な構成を示す回路図
【図８】スライシングレベルが変動したときに、出力信号のデューティが乱れる様子を示す図
【図９】従来のビット同期回路におけるサンプリングタイミングを示す図
【符号の説明】
【００５８】
１０、２０、３０…信号補正装置
１１…遅延部
１２…信号幅取得部
１３…信号幅履歴管理部
１４、２４…補正量管理部
１５、２５…判定部
１６、３６…補正実行部
２７…誤り率測定部
３８…強制終了判定部
１００…入力信号
１０１…遅延入力信号
１０２…信号幅情報
１０３…信号幅履歴情報
１０４、２０４…補正量
１０５…補正命令
１０６…出力信号
２０７…誤り率情報
３０８…強制終了命令
【図１】
2005176225.tif 000003
【図２】
2005176225.tif 000004
【図３】
2005176225.tif 000005
【図４】
2005176225.tif 000006
【図５】
2005176225.tif 000007
【図６】
2005176225.tif 000008
【図７】
2005176225.tif 000009
【図８】
2005176225.tif 000010
【図９】
2005176225.tif 000011